(57)【要約】【課題】  シングルサインオン制御を用いて１回の認証で、ＢＩＯＳ認証処理およびオペレーションシステムのログイン認証を行うことができる情報処理装置および制御方法を提供することを目的とする。【解決手段】  センサーにより、ペン入力装置８からの入力を検知すると、ＢＩＯＳ３３によってシングルサインオンが設定されていると判別し、シングルサインオンが設定されていると判別された場合は、指紋認証デバイス２１によって認証処理を行い、認証が確認された場合は、省電力状態から復帰させる。【選択図】      図２
2007148979.tif 000002
【特許請求の範囲】
【請求項１】
ペン入力手段からの入力を検知する検知手段と、認証手段とを備えた情報処理装置であって、
当該情報処理装置が省電力状態である場合に、前記検知手段により、前記ペン入力手段からの入力を検知すると、シングルサインオンが設定されているか否かを判別する判別手段と、
前記判別手段によってシングルサインオンが設定されていると判別された場合は、前記認証手段によって認証処理を行う認証処理手段と、
前記認証処理手段によって認証が確認された場合は、当該情報処理装置を前記省電力状態から復帰させることを特徴とする情報処理装置。
【請求項２】
請求項１に記載の情報処理装置において、
さらに認証情報を記憶したＢＩＯＳおよびオペレーションシステムを備え、
前記認証処理手段は、前記ＢＩＯＳに記憶されている認証情報に基づいて認証処理を行うことにより、前記ＢＩＯＳおよび前記オペレーションシステムへのログインの認証を１回で行うシングルサインオン処理であることを特徴とする情報処理装置。
【請求項３】
請求項１に記載の情報処理装置において、
前記認証手段は、指紋認証装置であることを特徴とする情報処理装置。
【請求項４】
請求項１に記載の情報処理装置において、
前記認証手段は、前記ペン入力手段による入力処理であることを特徴とする情報処理装置。
【請求項５】
請求項１に記載の情報処理装置において、
前記判別手段によってシングルサインオンが設定されていないと判別された場合は、パスワード認証処理を行い、認証が確認された場合は、当該情報処理装置を前記省電力状態から復帰させることを特徴とする情報処理装置。
【請求項６】
請求項１に記載の情報処理装置において、
前記ペン入力手段は識別情報を備えており、この識別情報に対応する装置でのみ使用が可能であることを特徴とする情報処理装置。
【請求項７】
ペン入力手段からの入力を検知する検知手段と認証手段とを備えた情報処理装置の制御方法であって、
前記情報処理装置が省電力状態である場合に、前記検知手段により、前記ペン入力手段からの入力を検知すると、シングルサインオンが設定されているか否かを判別する判別ステップと、
前記判別ステップによってシングルサインオンが設定されていると判別された場合は、前記認証手段によって認証処理を行う認証処理ステップと、
前記認証処理ステップによって認証が確認された場合は、前記情報処理装置を前記省電力状態から復帰させる復帰ステップと、
を含むことを特徴とする制御方法。
【請求項８】
請求項７に記載の制御方法において、
前記情報処理装置は、さらに認証情報を記憶したＢＩＯＳおよびオペレーションシステムを備え、
前記認証処理手段は、前記ＢＩＯＳに記憶されている認証情報に基づいて認証処理を行うことにより、前記ＢＩＯＳおよび前記オペレーションシステムへのログインの認証を１回で行うシングルサインオン処理であることを特徴とする制御方法。
【発明の詳細な説明】
【技術分野】
【０００１】
本発明は、ペン入力デバイスにより省電力状態からシングルサインオンで復帰させることができる情報処理装置および制御方法に関する。
【背景技術】
【０００２】
ペン入力機能を備えたタブレットＰＣを用いた技術では、ペンから発進される発進信号が設定時間以上受信されなければ、電力供給を抑制する。そして、電力供給を抑制している状態で、ペン入力があった場合は、登録認証情報と入力認証情報とを比較し（ＢＩＯＳ認証）、一致した場合は電力を供給するようにする技術が開示されている（特許文献１参照）。
【特許文献１】特開２００２−２５８９９７号公報
【発明の開示】
【発明が解決しようとする課題】
【０００３】
しかしながら、上述した技術では、ＢＩＯＳ認証処理後に、オペレーションシステムのログイン認証を行う必要があり、ユーザの利便性が損なわれる恐れがある。
【０００４】
本発明は上述の事情を考慮してなされたものであり、シングルサインオン制御を用いて１回の認証で、ＢＩＯＳ認証処理およびオペレーションシステムのログイン認証を行うことができる情報処理装置および制御方法を提供することを目的とする。
【課題を解決するための手段】
【０００５】
上記目的を達成するために、本願発明の一態様によれば、ペン入力手段からの入力を検知する検知手段と、認証手段とを備えた情報処理装置であって、当該情報処理装置が省電力状態である場合に、前記検知手段により、前記ペン入力手段からの入力を検知すると、シングルサインオンが設定されているか否かを判別する判別手段と、前記判別手段によってシングルサインオンが設定されていると判別された場合は、前記認証手段によって認証処理を行う認証処理手段と、前記認証処理手段によって認証が確認された場合は、当該情報処理装置を前記省電力状態から復帰させることを特徴とする情報処理装置が提供される。
【発明の効果】
【０００６】
本発明によれば、シングルサインオン制御を用いて１回の認証で、ＢＩＯＳ認証処理およびオペレーションシステムのログイン認証を行うことができる情報処理装置および制御方法を提供することが可能である。
【発明を実施するための最良の形態】
【０００７】
以下、図面を参照して本発明の実施形態を説明する。
【０００８】
（第１実施形態）
図１は、本発明の第１の実施形態に係る情報処理装置であるノート型タブレットＰＣを示した斜視図である。
【０００９】
タブレットＰＣ１は、キーボード３、タッチパッド７、指紋認証デバイス２１および液晶方式の可動式ディスプレイ１３との接続部であるヒンジ部６等を備える本体と、ヒンジ部６に可動可能に接続されたディスプレイ１３とから構成される。タブレットＰＣ１は、ディスプレイ１３がタッチパネルとなっており、内蔵可能なスタイライズ等のペン入力装置８によってディスプレイ１３に対して直接的に操作できる。ディスプレイ１３は、ヒンジ部６を軸として、Ｙ軸を中心に回転可能である。また、Ｘ軸を中心として、可倒可能である。
【００１０】
図２は、タブレットＰＣ１の構成の内、シングルサイオン制御による省電力モードからの復帰に用いられるタブレットコントローラを含む構成を示した概念図である。
【００１１】
タブレットＰＣ１は、ペン入力装置８からの入力を検知するディスプレイ（タブレット：Tablet）１３、タブレットコントローラ（Tablet Controller）３１、ＥＣ／ＫＢＣ３２、ＢＩＯＳ３３、指紋認証デバイス２１等から構成されている。
【００１２】
ペン入力装置８は例えばコイルを内蔵している。タブレットＰＣ１のディスプレイ１３は、検知手段として、図示しないペン入力装置８のコイルの位置を検出するペン入力センサーを備えている。タブレットコントローラ３１は、検知手段で検知されたペン入力装置８の検出データをＥＣ／ＫＢＣ３２に伝える。
【００１３】
ＥＣ／ＫＢＣ３２は信号を受信すると、ＢＩＯＳ３３にＷａｋｅ−Ｕｐ信号を送信する。ＢＩＯＳ３３はＷａｋｅ−Ｕｐ信号を受信すると、オペレーションシステムおよび指紋認証デバイス２１を起動させ、使用可能な状態とする。
【００１４】
次に、図３は、本発明の第１の実施形態に係る情報処理装置の制御方法を示したフローチャートである。
【００１５】
ディスプレイ１３のペン入力センサーは、ペン入力装置８からのペン入力が検出されたと判別すると（ステップＳ１のＹＥＳ）、検出したペン入力装置８の検出データをＥＣ／ＫＢＣ３２に送信する（ステップＳ２）。
【００１６】
ＥＣ／ＫＢＣ３２は、ペン入力装置８の検出データを受信すると、Ｗａｋｅ−Ｕｐ信号をＢＩＯＳ３３へ送信する（ステップＳ３）。ＢＩＯＳ３３は、シングルサインオンが設定されているか否かを判別する（ステップＳ４）。ＢＩＯＳ３３によってシングルサインオンが設定されていると判別されると（ステップＳ４のＹＥＳ）、ペン入力画面を表示する。
【００１７】
ペン入力画面は、例えば図４に示すように、６色の設定色が表示され、予め設定された色と同じ色をタップすることで認証を行う。
【００１８】
ペン入力装置８による認証がＯＫであると（ステップＳ６のＹＥＳ）、ＢＩＯＳ３３によりシングルサイオン制御が開始され（ステップＳ７）、タブレットＰＣ１の起動が行われる（ステップＳ８）。
【００１９】
一方、ＢＩＯＳ３３によってシングルサインオンが設定されていないと判別されると（ステップＳ４のＮＯ）、ＢＩＯＳ３３は、ディスプレイ１３にパスワード入力画面を表示し、ユーザにＢＩＯＳパスワード入力を促す（ステップＳ１０）。ＢＩＯＳパスワード認証がＯＫであれば（ステップＳ１０のＹＥＳ）、ＯＳパスワード認証を確認し、ＯＫであれば（ステップＳ１１のＹＥＳ）、タブレットＰＣ１の起動が行われる（ステップＳ８）。
【００２０】
一方、ステップＳ６、ステップＳ１０およびステップＳ１１で認証がＮＧであれば、認証エラー表示が行われる（ステップＳ９）。
【００２１】
また、本発明の第１実施形態の変形例としては、ディスプレイ１３はＸ軸を中心として、可倒可能である。ディスプレイ１３の表示面を上側にして可倒した場合は、図５に示すようなタブレットスタイルとなる。このようにタブレットスタイルとした場合においては、例えば、２人の利用者がディスプレイ１３を見て利用する形態が考えられる。
【００２２】
この場合、指紋認証デバイス２１がディスプレイ１３の枠内に設置されるようにしてもよい。タブレットＰＣ１がタブレットスタイルの状態でも、指紋認証デバイス２１による認証処理を行うことができる。
【００２３】
なお、従来のパスワード認証は、ＰＣ起動時にＢＩＯＳにて認証を行い、更にオペレーションシステムのログイン時に認証し、パスワードを２回入力する必要がある。シングルサインオン制御とは、ＢＩＯＳへのパスワード認証１回のみで、オペレーションシステムのログインまで認証処理を行うものである。また、シングルサインオンを行う場合は、シングルサインオン可能なデバイスであれば、指紋認証デバイス以外の様々なデバイスを用いることも可能である。
【００２４】
さらに、ペン入力装置８による認証の際、設定色を多数表示したり、複数色選択する仕様にすることで、シングルサインオン可能なデバイスとして、信頼度が高くすることもできる。また手書き認識技術等を、判別プログラムへ加えることにより、更なる応用例の進展も可能である。
【００２５】
以上、タブレットＰＣ特有である、ペン操作によるＷａｋｅ−Ｕｐ制御を利用して、シングルサインオン可能なデバイスの起動と連動することで、高いレベルのセキュリティ機構を容易に実現できる。さらに、タブレットＰＣ１のＷａｋｅ−Ｕｐ待機時に、ペン入力装置８を持参してタブレットＰＣ１から離れれば、Ｗａｋｅ−Ｕｐ処理ができなくなり、更なる簡易セキュリティの向上を行うことができる。
【００２６】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２７】
【図１】本発明の第１実施形態に係る情報処理装置を適用したタブレットＰＣの構成を示す斜視図。
【図２】タブレットＰＣの構成の内、シングルサイオン制御による省電力モードからの復帰に用いられるタブレットコントローラを含む構成を示した概念図。
【図３】本発明の第１の実施形態に係る情報処理装置の制御方法を示したフローチャート。
【図４】ペン入力装置による認証を行うペン入力画面を示した模式図。
【図５】タブレットＰＣのタブレットスタイルを示す斜視図。
【符号の説明】
【００２８】
１…タブレットＰＣ、１…パスワード認証、３…キーボード、６…ヒンジ部、７…タッチパッド、８…ペン入力装置、１３…ディスプレイ、２１…指紋認証デバイス、３１…タブレットコントローラ、３２…ＫＢＣ、３３…ＢＩＯＳ。
【図１】
2007148979.tif 000003
【図２】
2007148979.tif 000004
【図３】
2007148979.tif 000005
【図４】
2007148979.tif 000006
【図５】
2007148979.tif 000007